(57)【要約】【課題】電池性能を向上可能な蓄電装置を提供する。【解決手段】蓄電装置１は、集電板を介して積層方向に沿って積層された複数の蓄電セルを含むセルスタック２を備え、複数の蓄電セルのそれぞれは、積層方向に沿って積層された複数の電極と、複数の電極を保持する保持部材と、を有し、蓄電セル７Ａは、積層方向において正極集電板１５と負極集電板１６との間に配置され、正極集電板１５は、蓄電セル７Ａの積層方向における第１面に接触する本体部と、本体部から高さ方向に沿って突出するとともに積層方向に沿って延びる正極タブ１５ｂと、を有し、正極タブ１５ｂは、蓄電セル７Ａの保持部材９Ａ上に配置され、保持部材９Ａは、幅方向において正極タブ１５ｂの位置を規定する突出部９１Ａ，９２Ａを有する。【選択図】図２
2019186116.tif 000002
【特許請求の範囲】
【請求項１】
集電板を介して第１方向に沿って積層された複数の蓄電セルを含むセルスタックを備え、
前記複数の蓄電セルのそれぞれは、前記第１方向に沿って積層された複数の電極と、前記複数の電極を保持する保持部材と、を有し、
前記複数の蓄電セルのうちの第１蓄電セルは、前記第１方向において第１集電板と第２集電板との間に配置され、
前記第１集電板は、前記第１蓄電セルの前記第１方向における第１面に接触する第１本体部と、前記第１本体部から前記第１方向と交差する第２方向に沿って突出するとともに前記第１方向に沿って延びる第１タブと、を有し、
前記第１タブは、前記第１蓄電セルの第１保持部材上に配置され、
前記第１保持部材は、前記第１方向及び前記第２方向と交差する第３方向において前記第１タブの位置を規定する第１規定部を有する、蓄電装置。
【請求項２】
前記第１タブは、前記第３方向における端面を有し、
前記第１保持部材は、前記第２方向に沿って突出するとともに、前記端面と前記第３方向において対向する突出部を有し、
前記第１規定部は、前記突出部である、請求項１に記載の蓄電装置。
【請求項３】
前記第１保持部材には、前記第１タブと嵌り合う凹部が設けられ、
前記第１規定部は、前記凹部である、請求項１に記載の蓄電装置。
【請求項４】
前記第２集電板は、前記第１蓄電セルの前記第１方向における前記第１面と反対側の第２面に接触する第２本体部と、前記第２本体部から前記第２方向に沿って突出するとともに前記第１方向に延びる第２タブと、を有し、
前記第２タブは、前記第１保持部材上に配置され、
前記第１保持部材は、前記第３方向において前記第２タブの位置を規定する第２規定部を有する、請求項１〜請求項３のいずれか一項に記載の蓄電装置。
【請求項５】
前記複数の蓄電セルのうちの第２蓄電セルは、前記第１方向において前記第２集電板を介して前記第１蓄電セルと隣り合い、
前記第２集電板は、前記第１蓄電セルの前記第１方向における前記第１面と反対側の第２面に接触する第２本体部と、前記第２本体部から前記第２方向に沿って突出するとともに前記第１方向に延びる第２タブと、を有し、
前記第２タブは、前記第２蓄電セルの第２保持部材上に配置され、
前記第２保持部材は、前記第３方向において前記第２タブの位置を規定する第２規定部を有する、請求項１〜請求項３のいずれか一項に記載の蓄電装置。
【請求項６】
前記第１方向に沿って延在し、前記第２方向において前記第１タブと接合された第１バスバーと、
前記第１方向に沿って延在し、前記第２方向において前記第２タブと接合された第２バスバーと、
をさらに備える、請求項４又は請求項５に記載の蓄電装置。
【請求項７】
前記第１本体部の前記第３方向における長さは、前記第１保持部材の前記第３方向における長さよりも小さい、請求項１〜請求項６のいずれか一項に記載の蓄電装置。
【請求項８】
前記第１本体部の前記第３方向における前記長さは、前記複数の電極の前記第３方向における長さと等しい、請求項７に記載の蓄電装置。
【発明の詳細な説明】
【技術分野】
【０００１】
本発明は、蓄電装置に関する。
【背景技術】
【０００２】
従来の蓄電装置としては、例えば特許文献１に記載されている組電池が知られている。特許文献１に記載の組電池は、複数のバイポーラ２次電池と、複数の負極集電電極と、複数の正極集電電極と、を備えている。この組電池では、バイポーラ２次電池の一方の主表面には負極集電電極が設けられ、他方の主表面には正極集電電極が設けられている。
【先行技術文献】
【特許文献】
【０００３】
【特許文献１】特開２００８−２７６６１号公報
【発明の概要】
【発明が解決しようとする課題】
【０００４】
特許文献１に記載された組電池（蓄電装置）では、各集電電極の位置がバイポーラ電池に対してずれると、バイポーラ電池と集電電極との接触面積が低減し、バイポーラ電池と集電電極との間の導電経路において抵抗成分が増加する。これにより、電池性能が低下するおそれがある。
【０００５】
本発明の目的は、電池性能を向上可能な蓄電装置を提供することである。
【課題を解決するための手段】
【０００６】
本発明の一側面に係る蓄電装置は、集電板を介して第１方向に沿って積層された複数の蓄電セルを含むセルスタックを備える。複数の蓄電セルのそれぞれは、第１方向に沿って積層された複数の電極と、複数の電極を保持する保持部材と、を有する。複数の蓄電セルのうちの第１蓄電セルは、第１方向において第１集電板と第２集電板との間に配置される。第１集電板は、第１蓄電セルの第１方向における第１面に接触する第１本体部と、第１本体部から第１方向と交差する第２方向に沿って突出するとともに第１方向に沿って延びる第１タブと、を有する。第１タブは、第１蓄電セルの第１保持部材上に配置される。第１保持部材は、第１方向及び第２方向と交差する第３方向において第１タブの位置を規定する第１規定部を有する。
【０００７】
この蓄電装置では、第１集電板の第１本体部が第１蓄電セルの第１面に接触し、第１本体部から第２方向に沿って突出するとともに第１方向に沿って延びる第１タブが第１蓄電セルの第１保持部材上に配置される。このため、第１タブが第１保持部材と第２方向において当接するので、第１タブの第２方向における位置が規定される。また、第１タブの第３方向における位置が第１保持部材の第１規定部によって規定される。これにより、第１集電板の第２方向及び第３方向における位置が規定されるので、第１蓄電セルの第１面に対して第１本体部の位置がずれることが抑制される。したがって、第１蓄電セルと第１集電板との間の導電経路において抵抗成分の増加が抑制される。その結果、蓄電装置の電池性能を向上させることが可能となる。
【０００８】
第１タブは、第３方向における端面を有してもよい。第１保持部材は、第２方向に沿って突出するとともに、端面と第３方向において対向する突出部を有してもよい。第１規定部は、突出部であってもよい。この場合、第１タブの端面が第１保持部材の突出部に当接することで、第１集電板の第３方向における位置が規定される。これにより、第１蓄電セルの第１面に対して第１本体部の位置がずれることをより確実に抑制することができる。
【０００９】
第１保持部材には、第１タブと嵌り合う凹部が設けられてもよい。第１規定部は、凹部であってもよい。この場合、第１タブと第１保持部材の凹部とが嵌り合うので、第１集電板の第３方向における位置が規定される。これにより、第１蓄電セルの第１面に対して第１本体部の位置がずれることをより確実に抑制することができる。
【００１０】
第２集電板は、第１蓄電セルの第１方向における第１面と反対側の第２面に接触する第２本体部と、第２本体部から第２方向に沿って突出するとともに第１方向に延びる第２タブと、を有してもよい。第２タブは、第１保持部材上に配置されてもよい。第１保持部材は、第３方向において第２タブの位置を規定する第２規定部を有してもよい。この場合、第２タブが第１保持部材と第２方向において当接するので、第２タブの第２方向における位置が規定される。また、第２タブの第３方向における位置が第１保持部材の第２規定部によって規定される。これにより、第２集電板の第２方向及び第３方向における位置が規定されるので、第１蓄電セルの第２面に対して第２本体部の位置がずれることが抑制される。したがって、第１蓄電セルと第２集電板との間の導電経路において抵抗成分の増加が抑制される。その結果、蓄電装置の電池性能をさらに向上させることが可能となる。
【００１１】
複数の蓄電セルのうちの第２蓄電セルは、第１方向において第２集電板を介して第１蓄電セルと隣り合ってもよい。第２集電板は、第１蓄電セルの第１方向における第１面と反対側の第２面に接触する第２本体部と、第２本体部から第２方向に沿って突出するとともに第１方向に延びる第２タブと、を有してもよい。第２タブは、第２蓄電セルの第２保持部材上に配置されてもよい。第２保持部材は、第３方向において第２タブの位置を規定する第２規定部を有してもよい。この場合、第２タブが第２保持部材と第２方向において当接するので、第２タブの第２方向における位置が規定される。また、第２タブの第３方向における位置が第２保持部材の第２規定部によって規定される。これにより、第２集電板の第２方向及び第３方向における位置が規定されるので、第１蓄電セルの第２面に対して第２本体部の位置がずれることが抑制される。したがって、第１蓄電セルと第２集電板との間の導電経路において抵抗成分の増加が抑制される。その結果、蓄電装置の電池性能をさらに向上させることが可能となる。
【００１２】
上記蓄電装置は、第１方向に沿って延在し、第２方向において第１タブと接合された第１バスバーと、第１方向に沿って延在し、第２方向において第２タブと接合された第２バスバーと、をさらに備えてもよい。第１蓄電セルに対して、第１集電板の第３方向における位置が規定されるので、第１蓄電セルと第１集電板とは、一体となって第３方向に移動し得る。このため、振動によって第３方向に沿って第１蓄電セルに力が加わったとしても、第３方向に移動し難くなる。これにより、第１バスバーと第１タブとの接合部に第３方向に沿って加わるせん断応力を低減することができる。同様の理由により、第２バスバーと第２タブとの接合部に第３方向に沿って加わるせん断応力を低減することができる。その結果、蓄電装置の耐振動性を向上させることが可能となる。
【００１３】
第１本体部の第３方向における長さは、第１保持部材の第３方向における長さよりも小さくてもよい。この場合、第１集電板の第３方向における位置が第１保持部材に対して規定されているので、第１本体部が第１保持部材から第３方向に沿ってはみ出る可能性を低減することができる。これにより、第１集電板を介した漏電及び短絡の可能性を低減することが可能となる。
【００１４】
第１本体部の第３方向における長さは、複数の電極の第３方向における長さと等しくてもよい。セルスタックには、第１方向に沿って拘束力が加えられることがある。第１方向から見て、第１本体部が第１保持部材と重なる場合には、第１本体部を介して拘束力が第１保持部材にも加わるので、その分、セルスタックに加える拘束力を大きくする必要がある。上記構成では、第１本体部の第３方向における長さが複数の電極の第３方向における長さと等しく、第１集電板の第３方向における位置が第１保持部材に対して規定されているので、第１方向から見て、第１保持部材と第１本体部とが重なる可能性を低減することができる。これにより、第１保持部材に加わる力を低減でき、セルスタックに加える拘束力を低減することが可能となる。
【発明の効果】
【００１５】
本発明によれば、蓄電装置の電池性能を向上させることができる。
【図面の簡単な説明】
【００１６】
【図１】図１は、一実施形態に係る蓄電装置を示す概略斜視図である。
【図２】図２は、図１に示された蓄電装置を部分的に示す平面図である。
【図３】図３の（ａ）及び図３の（ｂ）は、図２に示された蓄電セルを正極集電板及び負極集電板と共に示す斜視図である。
【図４】図４は、図１に示された蓄電セルの断面図である。
【図５】図５は、図１のＶ−Ｖ線断面図である。
【図６】図６は、図１のＶＩ−ＶＩ線断面図である。
【図７】図７は、図２のＶＩＩ−ＶＩＩ線断面図である。
【図８】図８は、図１に示された蓄電装置の製造方法を示す工程図である。
【図９】図９は、第１変形例に係る蓄電装置の断面図である。
【図１０】図１０は、第２変形例に係る蓄電装置を部分的に示す平面図である。
【図１１】図１１の（ａ）及び図１１の（ｂ）は、図１０に示された蓄電セルを正極集電板及び負極集電板と共に示す斜視図である。
【発明を実施するための形態】
【００１７】
以下、添付図面を参照しながら本発明の実施形態が詳細に説明される。図面の説明において、同一又は同等の要素には同一符号が用いられ、重複する説明は省略される。図面には必要に応じてＸＹＺ直交座標系が示される。
【００１８】
図１は、一実施形態に係る蓄電装置を示す概略斜視図である。図２は、図１に示された蓄電装置を部分的に示す平面図である。図３の（ａ）及び図３の（ｂ）は、図２に示された蓄電セルを正極集電板及び負極集電板と共に示す斜視図である。図４は、図１に示された蓄電セルの断面図である。図５は、図１のＶ−Ｖ線断面図である。図６は、図１のＶＩ−ＶＩ線断面図である。図１に示される蓄電装置１は、例えばフォークリフト、ハイブリッド自動車、又は電気自動車等の各種車両のバッテリとして用いられる。蓄電装置１は、セルスタック２と、１対のエンドプレート３と、正極バスバー４（第１バスバー）と、負極バスバー５（第２バスバー）と、カバー部材６と、を備えている。
【００１９】
セルスタック２は、複数の蓄電セル７を積層することにより構成されている。セルスタック２は、例えば１００体程度の蓄電セル７の集合体である。以下の説明では、蓄電セル７の積層方向をＸ軸方向（第１方向）とし、蓄電セル７の幅方向をＹ軸方向（第３方向）とし、蓄電セル７の高さ方向をＺ軸方向（第２方向）とする。また、以下の説明では、蓄電セル７の積層方向を単に「積層方向」、蓄電セル７の幅方向を単に「幅方向」、蓄電セル７の高さ方向を単に「高さ方向」と表現する。
【００２０】
蓄電セル７は、扁平な略直方体形状をなす単電池である。蓄電セル７は、例えばニッケル水素二次電池又はリチウムイオン二次電池等の二次電池であってもよく、電気二重層キャパシタであってもよい。蓄電セル７は、全固体電池であってもよい。本実施形態では、蓄電セル７がバイポーラ型のリチウムイオン二次電池である場合を例示する。図２に示されるように、本実施形態では、複数の蓄電セル７は、後述のように、複数の蓄電セル７Ａ（第１蓄電セル）と、複数の蓄電セル７Ｂ（第２蓄電セル）と、を含む。蓄電セル７Ａと蓄電セル７Ｂとが１つずつ積層方向に沿って交互に配置されている。なお、蓄電セル７Ａと蓄電セル７Ｂとで共通する部分については、蓄電セル７Ａと蓄電セル７Ｂとを区別することなく、蓄電セル７として説明する。
【００２１】
蓄電セル７は、図３の（ａ）、図３の（ｂ）及び図４にも示されるように、電極積層体８と、保持部材９と、を有している。電極積層体８は、複数のバイポーラ電極１０がセパレータ１１を介して積層されてなる構造を有している。複数のバイポーラ電極１０は、積層方向に沿って積層されている。バイポーラ電極１０は、集電体１２と、集電体１２の一方の面に形成された正極層１３と、集電体１２の他方の面に形成された負極層１４と、を有している。
【００２２】
集電体１２は、略矩形状を呈するシート状の導電部材である。集電体１２は、例えば金属箔又は合金箔である。金属箔としては、例えば銅箔、アルミニウム箔、チタン箔又はニッケル箔が挙げられる。集電体１２が金属箔である場合、機械的強度を確保する観点から集電体１２としてアルミニウム箔が用いられてもよい。合金箔としては、例えばステンレス鋼箔又は上記金属の合金箔が挙げられる。集電体１２が合金箔及びアルミニウム箔以外の金属箔である場合、集電体１２の表面にアルミニウムが被覆されていてもよい。
【００２３】
正極層１３は、正極活物質と電解質とを含んでいる。正極活物質は、例えば複合酸化物、金属リチウム又は硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質又はゲル状電解質である。固体電解質は、ジルコニア又はβアルミナを含む。固体高分子電解質は、例えばポリエチレンオキシド（ＰＥＯ）、ポリプロピレンオキシド（ＰＰＯ）等のアルキレンオキシド系高分子化合物、又はこれらの共重合体を含む。ゲル状電解質は、流動性を完全に示さないか、流動性をほぼ完全に示さない電解質である。例えば２０℃におけるゲル状電解質の粘度は、０．１Ｐａ・Ｓ以上である。
【００２４】
正極層１３が固体高分子電解質を含む場合、正極層１３は、例えばイオン伝導性を高めるための支持塩、電子伝導性を高めるための導電助剤、粘度調整溶媒、及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、又はこれらの混合物である。導電助剤は、例えばアセチレンブラック、カーボンブラック、又はグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００２５】
負極層１４は、負極活物質と電解質とを含んでいる。負極活物質は、例えば黒鉛、高配向性グラファイト、メソカーボンマイクロビーズ、ハードカーボン若しくはソフトカーボン等のカーボン、リチウム若しくはナトリウム等のアルカリ金属、金属化合物、リチウムと合金化可能な元素若しくはその化合物、又はホウ素添加炭素等である。リチウムと合金化可能な元素の例としては、シリコン（ケイ素）及びスズが挙げられる。負極層１４の電解質は、例えば正極層１３に含まれる電解質と同様である。
【００２６】
セパレータ１１は、互いに隣り合うバイポーラ電極１０同士を隔てる層状部材であり、略矩形状を呈している。セパレータ１１は、正極層１３及び負極層１４に含まれる電解質によって構成されている。セパレータ１１は、電解質を充填可能な多孔質膜であってもよい。セパレータ１１が固体電解質によって構成される場合、セパレータ１１は、略矩形の板状を呈していてもよい。
【００２７】
電極積層体８の積層方向の両端には、集電体１２がそれぞれ設けられている。電極積層体８の一端（図４の紙面右側の端）に位置する集電体１２には、正極層１３のみが形成されており、この集電体１２は蓄電セル７の正極端子として機能する。電極積層体８の他端（図４の紙面左側の端）に位置する集電体１２には、負極層１４のみが形成されており、この集電体１２は蓄電セル７の負極端子として機能する。
【００２８】
保持部材９は、電極積層体８（複数のバイポーラ電極１０）を保持する部材である。保持部材９は、電極積層体８の幅方向の両側面、頂面及び底面を囲む矩形枠状を呈している。保持部材９は、例えば絶縁性及び耐熱性を有する樹脂により形成されている。保持部材９を形成する樹脂としては、例えばポリイミド、ポリプロピレン（ＰＰ）、ポリフェニレンサルファイド（ＰＰＳ）、又はナイロン６６（ＰＡ６６）等が挙げられる。保持部材９は、バイポーラ電極１０を封止し、バイポーラ電極１０同士の短絡を防止する機能を合わせ持っている。
【００２９】
複数の蓄電セル７は、正極集電板１５（第１集電板）及び負極集電板１６（第２集電板）を交互に介して積層されている。正極集電板１５及び負極集電板１６は、蓄電セル７の主面と略同形の長方形状を呈する金属板である。蓄電セル７の主面は、電極積層体８の積層方向に交差する一対の面であり、具体的には、電極積層体８の積層方向の両端に位置する集電体１２の外側面である。正極集電板１５及び負極集電板１６は、例えば集電体１２と同じ金属材料で形成されている。正極集電板１５及び負極集電板１６は、蓄電セル７を積層方向に挟むように配置されている。正極集電板１５は、蓄電セル７の正極端子として機能する集電体１２の外側面１２ａ（第１面）に接触している。負極集電板１６は、蓄電セル７の負極端子として機能する集電体１２の外側面１２ｂ（第２面）に接触している。
【００３０】
正極集電板１５は、平面視矩形状の本体部１５ａ（第１本体部）と、本体部１５ａと一体化された正極タブ１５ｂ（第１タブ）と、を有している。本体部１５ａは、正極端子として機能する集電体１２の外側面１２ａに接触している。本体部１５ａは、外側面１２ａと略同形であり、積層方向において外側面１２ａと重なっている。本体部１５ａの幅Ｗｐ（幅方向における長さ）は、保持部材９Ａ，９Ｂ（蓄電セル７Ａ，７Ｂ）の幅Ｗｃ（幅方向における長さ、図７参照）よりも小さい。本体部１５ａの幅Ｗｐは、外側面１２ａ（電極積層体８）の幅Ｗｅ（幅方向における長さ、図７参照）と等しい。なお、幅Ｗｐが幅Ｗｅと等しいとは、幅Ｗｐと幅Ｗｅとが完全に同一であるだけでなく、幅Ｗｐと幅Ｗｅとが実質的に同一である場合を含む。実質的に同一であるとは、設計値として同じであることを意味し、製造公差等により異なっていてもよい。
【００３１】
正極タブ１５ｂは、正極バスバー４と接合される。正極タブ１５ｂは、本体部１５ａから高さ方向に沿って突出するとともに積層方向に沿って延びている。具体的には、正極タブ１５ｂは、幅方向の一方側において電極積層体８に対して高さ方向に突出している。正極タブ１５ｂの先端部は、蓄電セル７Ｂの外側に屈曲し、蓄電セル７Ａに向かって延びている。正極タブ１５ｂは、保持部材９Ａ（第１保持部材）の頂面９ａに配置されている。
【００３２】
各正極集電板１５の正極タブ１５ｂの屈曲部分は、積層方向の一方側を向いて揃っている。そして、各正極集電板１５の正極タブ１５ｂの屈曲部分に対して正極バスバー４が溶接等により接合されている（図５参照）。正極集電板１５と正極バスバー４とは、溶接部Ｗ１により接合される。正極タブ１５ｂは、幅方向における端面１５ｃ（図７参照）と端面１５ｄ（図７参照）とを有している。端面１５ｃは、蓄電装置１の内側を向いている面である。端面１５ｄは、端面１５ｃと反対側の面であり、蓄電装置１の外側を向いている。なお、正極タブ１５ｂの幅は、正極集電板１５の幅Ｗｐの半分よりも小さく、各正極集電板１５の正極タブ１５ｂの幅は互いに等しい。
【００３３】
負極集電板１６は、平面視矩形状の本体部１６ａ（第２本体部）と、本体部１６ａと一体化された負極タブ１６ｂ（第２タブ）と、を有している。本体部１６ａは、負極端子として機能する集電体１２の外側面１２ｂに接触している。本体部１６ａは、外側面１２ｂと略同形であり、積層方向において外側面１２ｂと重なっている。本体部１６ａの幅Ｗｎ（幅方向における長さ）は、幅Ｗｐと等しく、保持部材９Ａ，９Ｂ（蓄電セル７Ａ，７Ｂ）の幅Ｗｃよりも小さい。本体部１６ａの幅Ｗｎは、外側面１２ｂ（電極積層体８）の幅Ｗｅと等しい。なお、幅Ｗｎが幅Ｗｅと等しいとは、幅Ｗｎと幅Ｗｅとが完全に同一であるだけでなく、幅Ｗｎと幅Ｗｅとが実質的に同一である場合を含む。実質的に同一であるとは、設計値として同じであることを意味し、製造公差等により異なっていてもよい。
【００３４】
負極タブ１６ｂは、負極バスバー５と接合される。負極タブ１６ｂは、本体部１６ａから高さ方向に沿って突出するとともに積層方向に沿って延びている。具体的には、負極タブ１６ｂは、幅方向の他方側において電極積層体８に対して高さ方向に突出している。負極タブ１６ｂは、正極タブ１５ｂと高さ方向の同じ側に突出している。負極タブ１６ｂの先端部は、蓄電セル７Ｂの外側に屈曲し、蓄電セル７Ａに向かって延びている。負極タブ１６ｂは、保持部材９Ａの頂面９ａに配置されている。
【００３５】
負極タブ１６ｂの屈曲方向は、正極タブ１５ｂの屈曲方向と逆向きとなっている。各負極集電板１６の負極タブ１６ｂの屈曲部分は、積層方向の他方側を向いて揃っている。そして、各負極集電板１６の負極タブ１６ｂの屈曲部分に対して負極バスバー５が溶接等により接合されている（図６参照）。負極集電板１６と負極バスバー５とは、溶接部Ｗ２により接合される。負極タブ１６ｂは、幅方向における端面１６ｃ（図７参照）と端面１６ｄ（図７参照）とを有している。端面１６ｃは、蓄電装置１の内側を向いている面である。端面１６ｄは、端面１６ｃと反対側の面であり、蓄電装置１の外側を向いている。なお、負極タブ１６ｂの幅は、負極集電板１６の幅Ｗｎの半分よりも小さく、各負極集電板１６の負極タブ１６ｂの幅は互いに等しい。負極タブ１６ｂは、幅方向において正極タブ１５ｂから離間している。
【００３６】
図２に示されるように、本実施形態のセルスタック２では、蓄電セル７Ａと蓄電セル７Ｂとが積層方向に沿って交互に配置されている。つまり、蓄電セル７Ａ，７Ｂは、積層方向において正極集電板１５と負極集電板１６との間に配置される。積層方向に互いに隣り合う蓄電セル７Ａと蓄電セル７Ｂとの間には、正極集電板１５又は負極集電板１６が配置される。言い換えると、蓄電セル７Ａと蓄電セル７Ｂとは正極集電板１５又は負極集電板１６を介して互いに隣り合っている。保持部材９Ａ上（保持部材９Ａの頂面９ａ）には、正極タブ１５ｂ及び負極タブ１６ｂが配置されている。保持部材９Ｂ（第２保持部材）上（保持部材９Ｂの頂面９ａ）には、正極タブ１５ｂ及び負極タブ１６ｂがいずれも配置されていない。保持部材９Ａは、高さ方向及び幅方向において正極集電板１５及び負極集電板１６の位置ずれを規制する。保持部材９Ａによる正極集電板１５及び負極集電板１６の位置ずれの規制については、後述する。
【００３７】
エンドプレート３は、積層方向への蓄電セル７の位置ずれを規制する拘束部材である。エンドプレート３は、セルスタック２における積層方向の両側に配置されている。エンドプレート３は、側面視Ｌ字状を呈している。エンドプレート３は、例えば金属又は合金により形成されている。各エンドプレート３同士は、カバー部材６によって連結され、エンドプレート３を介して積層方向に沿った拘束荷重がセルスタック２に付加される。各エンドプレート３同士は、ボルト及びナット等の締結部材により連結されていてもよい。この場合には、締結部材の締め付け力によって、エンドプレート３を介して積層方向に沿った拘束荷重がセルスタック２に付加される。
【００３８】
セルスタック２における積層方向の両端に位置する蓄電セル７とエンドプレート３との間には、絶縁緩衝部材１７がそれぞれ配置されている。絶縁緩衝部材１７は、蓄電セル７の膨張を吸収する機能を有する部材である。絶縁緩衝部材１７は、例えば積層方向から見て蓄電セル７の主面と同程度の面積を有する直方体形状を呈している。絶縁緩衝部材１７の形成材料としては、例えばＰＰ、ＰＰＳ又はＰＡ６６等が挙げられる。
【００３９】
正極バスバー４及び負極バスバー５のそれぞれは、図１に示されるように、積層方向に沿って延在している。正極バスバー４及び負極バスバー５は、セルスタック２に対して高さ方向の同じ側において幅方向に並んで配置されている。具体的には、正極バスバー４は、セルスタック２の頂面において幅方向の一方側に配置されている。負極バスバー５は、セルスタック２の頂面において幅方向の他方側に正極バスバー４から離間して配置されている。正極バスバー４は、高さ方向において各正極集電板１５（正極タブ１５ｂ）と接合され、各正極集電板１５と電気的に接続されている。負極バスバー５は、高さ方向において各負極集電板１６（負極タブ１６ｂ）と接合され、各負極集電板１６と電気的に接続されている。
【００４０】
正極バスバー４及び負極バスバー５は、例えば矩形の板状を呈している。正極バスバー４及び負極バスバー５の形成材料は、例えば銅、アルミニウム、チタン又はニッケル等の金属であってもよく、ステンレス鋼、或いは前述の金属の合金等であってもよい。
【００４１】
正極バスバー４の長手方向の一端には、セルスタック２を外部装置に接続するための取出端子が接続されてもよい。負極バスバー５の長手方向の一端には、セルスタック２を外部装置に接続するための取出端子が接続されてもよい。
【００４２】
正極バスバー４は、幅方向における端面４ｂ（図７参照）と端面４ｃ（図７参照）とを有している。端面４ｂは幅方向におけるカバー部材６の端面と対向する面である。端面４ｃは、端面４ｂと反対側の面であり、蓄電装置１の外側を向いている。負極バスバー５は、幅方向における端面５ｂ（図７参照）と端面５ｃ（図７参照）とを有している。端面５ｂは幅方向におけるカバー部材６の端面と対向する面である。端面５ｃは、端面５ｂと反対側の面であり、蓄電装置１の外側を向いている。
【００４３】
カバー部材６は、高さ方向における蓄電セル７の位置を規定するための部材である。カバー部材６は、積層方向に沿って延在している。カバー部材６は、例えば金属又は合金によって形成されている。カバー部材６は、セルスタック２の頂面において、正極バスバー４及び負極バスバー５から離間した状態で、正極バスバー４と負極バスバー５との間に配置されている。カバー部材６は、積層方向に延在する本体部６ａと、本体部６ａの長手方向の両端部にそれぞれ設けられた１対の爪部６ｂと、を有している。爪部６ｂは、締結部材Ｅによりエンドプレート３の外側面に固定されている。これにより、カバー部材６がセルスタック２に対して係止され、１対のエンドプレート３を介して、積層方向に沿った拘束荷重がセルスタック２に付加される。
【００４４】
次に、図７をさらに参照して、保持部材９Ａによる正極集電板１５及び負極集電板１６の位置ずれの規制を説明する。図７は、図２のＶＩＩ−ＶＩＩ線断面図である。
【００４５】
図２、図３の（ａ）、及び図７に示されるように、保持部材９Ａは、突出部９１Ａ，９１Ｂ，９２Ａ，９２Ｂを備えている。突出部９１Ａ，９２Ａは、頂面９ａに設けられ、高さ方向に沿って頂面９ａから突出している。突出部９１Ａ，９２Ａは、幅方向において正極タブ１５ｂを挟むように離間して配置されている。突出部９１Ａはカバー部材６側に位置し、突出部９２Ａは外側に位置する。突出部９１Ａは、幅方向と交差する側面９１ａを有している。突出部９２Ａは、幅方向と交差し、正極タブ１５ｂを介して側面９１ａと対向する側面９２ａを有している。側面９１ａは、幅方向において端面１５ｃに対向するとともに端面１５ｃと接触している。側面９２ａは、幅方向において端面１５ｄに対向するとともに端面１５ｄと接触している。
【００４６】
突出部９１Ａ，９２Ａの高さ（高さ方向の長さ）は、正極タブ１５ｂの厚さ（高さ方向の長さ）よりも大きい。つまり、突出部９１Ａ，９２Ａの上端は、正極タブ１５ｂの上面よりも高い。このため、突出部９１Ａ，９２Ａは、幅方向において正極バスバー４を挟んでいる。つまり、側面９１ａは、幅方向において端面４ｂに対向するとともに端面４ｂと接触している。側面９２ａは、幅方向において端面４ｃに対向するとともに端面４ｃと接触している。
【００４７】
突出部９１Ｂ，９２Ｂは、頂面９ａに設けられ、高さ方向に沿って頂面９ａから突出している。突出部９１Ｂ，９２Ｂは、幅方向において負極タブ１６ｂを挟むように離間して配置されている。突出部９１Ｂはカバー部材６側に位置し、突出部９２Ｂは外側に位置する。突出部９１Ｂは、幅方向と交差する側面９１ｂを有している。突出部９２Ｂは、幅方向と交差し、負極タブ１６ｂを介して側面９１ｂと対向する側面９２ｂを有している。側面９１ｂは、幅方向において端面１６ｃに対向するとともに端面１６ｃと接触している。側面９２ｂは、幅方向において端面１６ｄに対向するとともに端面１６ｄと接触している。
【００４８】
突出部９１Ｂ，９２Ｂの高さ（高さ方向の長さ）は、負極タブ１６ｂの厚さ（高さ方向の長さ）よりも大きい。つまり、突出部９１Ｂ，９２Ｂの上端は、負極タブ１６ｂの上面よりも高い。このため、突出部９１Ｂ，９２Ｂは、幅方向において負極バスバー５を挟んでいる。つまり、側面９１ｂは、幅方向において端面５ｂに対向するとともに端面５ｂと接触している。側面９２ｂは、幅方向において端面５ｃに対向するとともに端面５ｃと接触している。
【００４９】
なお、保持部材９Ｂは、突出部９１Ａ，９１Ｂ，９２Ａ，９２Ｂを備えていないが、突出部９１Ａ，９１Ｂ，９２Ａ，９２Ｂの少なくともいずれかを備えていてもよい。
【００５０】
以上説明したように、蓄電装置１では、正極集電板１５の本体部１５ａが蓄電セル７Ａの正極端子として機能する集電体１２の外側面１２ａに接触し、正極タブ１５ｂが保持部材９Ａ上に配置されている。このため、正極タブ１５ｂが保持部材９Ａの頂面９ａと高さ方向において当接し、頂面９ａによって支持されているので、蓄電セル７Ａに対する正極タブ１５ｂの高さ方向における相対的な位置が規定される。また、正極タブ１５ｂの端面１５ｃが突出部９１Ａに当接し、正極タブ１５ｂの端面１５ｄが突出部９２Ａに当接しているので、蓄電セル７Ａに対する正極タブ１５ｂの幅方向における相対的な位置が突出部９１Ａ，９２Ａによって規定される。つまり、突出部９１Ａ，９２Ａ（側面９１ａ，９２ａ）は、幅方向において正極タブ１５ｂ（正極集電板１５）の位置を規定する規定部（第１規定部）として機能する。これにより、蓄電セル７Ａに対して正極集電板１５の高さ方向及び幅方向における相対的な位置が規定されるので、蓄電セル７Ａの外側面１２ａに対して、本体部１５ａの位置がずれることが抑制される。したがって、蓄電セル７Ａと正極集電板１５との間の導電経路において抵抗成分の増加が抑制される。
【００５１】
同様に、蓄電装置１では、負極集電板１６の本体部１６ａが蓄電セル７Ａの負極端子として機能する集電体１２の外側面１２ｂに接触し、負極タブ１６ｂが保持部材９Ａ上に配置されている。このため、負極タブ１６ｂが保持部材９Ａの頂面９ａと高さ方向において当接し、頂面９ａによって支持されているので、蓄電セル７Ａに対する負極タブ１６ｂの高さ方向における相対的な位置が規定される。また、負極タブ１６ｂの端面１６ｃが突出部９１Ｂに当接し、負極タブ１６ｂの端面１６ｄが突出部９２Ｂに当接しているので、蓄電セル７Ａに対する負極タブ１６ｂの幅方向における相対的な位置が突出部９１Ｂ，９２Ｂによって規定される。つまり、突出部９１Ｂ，９２Ｂ（側面９１ｂ，９２ｂ）は、幅方向において負極タブ１６ｂ（負極集電板１６）の位置を規定する規定部（第２規定部）として機能する。これにより、蓄電セル７Ａに対して負極集電板１６の高さ方向及び幅方向における相対的な位置が規定されるので、蓄電セル７Ａの外側面１２ｂに対して、本体部１６ａの位置がずれることが抑制される。したがって、蓄電セル７Ａと負極集電板１６との間の導電経路において抵抗成分の増加が抑制される。
【００５２】
さらに、蓄電装置１では、各保持部材９の高さ方向及び幅方向が揃えられているので、本体部１５ａを挟んで互いに隣り合う蓄電セル７Ａ，７Ｂの外側面１２ａのそれぞれに対して、本体部１５ａの位置がずれることが抑制される。したがって、蓄電セル７Ａ，７Ｂと正極集電板１５との間の導電経路において抵抗成分の増加が抑制される。同様に、本体部１６ａを挟んで互いに隣り合う蓄電セル７Ａ，７Ｂの外側面１２ｂのそれぞれに対して、本体部１６ａの位置がずれることが抑制される。したがって、蓄電セル７Ａ，７Ｂと負極集電板１６との間の導電経路において抵抗成分の増加が抑制される。
【００５３】
正極バスバー４に対する正極タブ１５ｂの幅方向における位置ずれ量は、正極バスバー４に対する蓄電セル７Ａの幅方向における位置ずれ量と、各蓄電セル７Ａに対する正極タブ１５ｂの幅方向における位置ずれ量と、の合算によって求められる。蓄電装置１では、蓄電セル７Ａに対して正極タブ１５ｂの幅方向における位置が規定されている。このため、正極バスバー４に対する正極タブ１５ｂの幅方向における位置ずれ量は、正極バスバー４に対する蓄電セル７Ａの幅方向における位置ずれ量によって求められる。これにより、幅方向において、正極バスバー４に対する正極タブ１５ｂの位置ずれ量の最大値が低減されるので、正極バスバー４と正極集電板１５との間の導電経路において抵抗成分の増加が抑制される。同様の理由により、負極バスバー５と負極集電板１６との間の導電経路において抵抗成分の増加が抑制される。
【００５４】
よって、蓄電装置１の電池性能を向上させることが可能となる。
【００５５】
本体部１５ａの幅Ｗｐ及び本体部１６ａの幅Ｗｎは、保持部材９Ａ，９Ｂ（蓄電セル７Ａ，７Ｂ）の幅Ｗｃよりも小さい。正極集電板１５及び負極集電板１６の幅方向における位置が保持部材９Ａに対して規定されている。また、各保持部材９の高さ方向及び幅方向が揃えられている。このため、本体部１５ａ，１６ａが保持部材９Ａ，９Ｂから幅方向に沿って蓄電装置１の外部にはみ出て露出する可能性を低減することができる。これにより、本体部１５ａ，１６ａを介した漏電及び短絡の可能性を低減することが可能となる。
【００５６】
セルスタック２には、積層方向に沿って拘束力が加えられる。本体部１５ａの幅Ｗｐが電極積層体８の幅Ｗｅよりも大きい場合には、本体部１５ａを介して拘束力が保持部材９にも加わる。同様に、本体部１６ａの幅Ｗｎが電極積層体８の幅Ｗｅよりも大きい場合には、本体部１６ａを介して拘束力が保持部材９にも加わる。保持部材９に加わる力の分だけ、セルスタック２に加える拘束力を大きくする必要がある。蓄電装置１では、幅Ｗｐ，Ｗｎは、幅Ｗｅと等しく（略同じであり）、さらに正極集電板１５及び負極集電板１６の幅方向における位置が、保持部材９Ａに対して規定されているので、積層方向から見て、保持部材９Ａと本体部１５ａ，１６ａとが重なる可能性を低減することができる。これにより、保持部材９Ａに加わる力を低減でき、セルスタック２に加える拘束力を低減することが可能となる。
【００５７】
突出部９１Ａの上端は、正極タブ１５ｂの上面よりも高い。このため、正極集電板１５だけでなく、正極バスバー４の幅方向における位置を規定することができる。同様に、突出部９１Ｂの上端は、負極タブ１６ｂの上面よりも高い。このため、負極集電板１６だけでなく、負極バスバー５の幅方向における位置を規定することができる。また、正極バスバー４とカバー部材６との間に突出部９１Ａが介在することで、正極バスバー４とカバー部材６とのクリアランス（離間距離）を確保することができる。負極バスバー５とカバー部材６との間に突出部９２Ｂが介在することで、負極バスバー５とカバー部材６とのクリアランス（離間距離）を確保することができる。これにより、正極バスバー４と負極バスバー５とがカバー部材６を介して短絡する可能性を低減することができる。
【００５８】
突出部９２Ａの上端は、正極タブ１５ｂの上面よりも高い。このため、正極集電板１５だけでなく、正極バスバー４の幅方向における位置を規定することができる。また、正極バスバー４と筐体との間に、突出部９２Ａが介在することで、正極バスバー４と筐体とのクリアランス（離間距離）を確保することができる。これにより、正極バスバー４が筐体に接触する可能性を低減することができる。同様に、突出部９２Ｂの上端は、負極タブ１６ｂの上面よりも高い。このため、負極集電板１６だけでなく、負極バスバー５の幅方向における位置を規定することができる。また、負極バスバー５と筐体との間に、突出部９２Ｂが介在することで、負極バスバー５と筐体とのクリアランス（離間距離）を確保することができる。これにより、負極バスバー５が筐体に接触する可能性を低減することができる。
【００５９】
突出部９１Ａ，９２Ａにより正極バスバー４及び正極集電板１５（正極タブ１５ｂ）の幅方向における位置が規定されることで、正極タブ１５ｂが正極バスバー４に対して幅方向に移動することが抑制される。これにより、振動によって幅方向に沿って各蓄電セル７に力が加わったとしても、正極バスバー４と正極集電板１５との溶接部Ｗ１に幅方向に沿って加わるせん断応力を低減することができる。同様に、突出部９１Ｂ，９２Ｂにより負極バスバー５及び負極集電板１６（負極タブ１６ｂ）の幅方向における位置が規定されることで、負極タブ１６ｂが負極バスバー５に対して幅方向に移動することが抑制される。これにより、振動によって幅方向に沿って各蓄電セル７に力が加わったとしても、負極バスバー５と負極集電板１６との溶接部Ｗ２に幅方向に沿って加わるせん断応力を低減することができる。その結果、蓄電装置１の耐振動性を向上させることが可能となる。
【００６０】
次に、図８を参照して、蓄電装置１の製造方法を説明する。図８は、図１に示された蓄電装置の製造方法を示す工程図である。
【００６１】
図８に示されるように、まず、工程Ｓ０１において、セルスタック２が形成される。具体的には、まず、蓄電セル７Ａに正極集電板１５及び負極集電板１６が組み付けられる。このとき、正極タブ１５ｂが突出部９１Ａと突出部９２Ａとの間に挿入され、頂面９ａ上に配置されるとともに、本体部１５ａが蓄電セル７Ａの正極端子として機能する集電体１２の外側面１２ａ上に配置される。これにより、本体部１５ａが積層方向において外側面１２ａに重ね合わせられた状態で、正極集電板１５が位置決めされる。同様に、負極タブ１６ｂが突出部９１Ｂと突出部９２Ｂとの間に挿入され、頂面９ａ上に配置されるとともに、本体部１６ａが蓄電セル７Ａの負極端子として機能する集電体１２の外側面１２ｂ上に配置される。これにより、本体部１６ａが積層方向において外側面１２ｂに重ね合わせられた状態で、負極集電板１６が位置決めされる。そして、蓄電セル７Ａと蓄電セル７Ｂとが１つずつ積層方向に沿って交互に配置される。このようにして、正極集電板１５及び負極集電板１６を交互に介して複数の蓄電セル７が一方向に沿って積層され、セルスタック２が形成される。
【００６２】
続いて、工程Ｓ０２において、１対のエンドプレート３が配置される。具体的には、積層方向におけるセルスタック２の両端に、絶縁緩衝部材１７を介して１対のエンドプレート３が配置される。
【００６３】
続いて、工程Ｓ０３において、正極バスバー４及び負極バスバー５が配置される。具体的には、正極バスバー４が、セルスタック２の頂面において幅方向の一方側に、積層方向に沿って設けられる。より具体的には、正極バスバー４が、複数の正極集電板１５の正極タブ１５ｂのそれぞれと接触するように、セルスタック２の頂面に配置される。同様に、負極バスバー５が、セルスタック２の頂面において幅方向の他方側に、積層方向に沿って設けられる。より具体的には、負極バスバー５が、複数の負極集電板１６の負極タブ１６ｂのそれぞれと接触するように、セルスタック２の頂面に配置される。
【００６４】
このとき、正極バスバー４が各蓄電セル７Ａの保持部材９Ａの突出部９１Ａと突出部９２Ａとの間に嵌め込まれる。つまり、正極バスバー４の端面４ｂと突出部９１Ａの側面９１ａとが当接し、正極バスバー４の端面４ｃと突出部９２Ａの側面９２ａとが当接する。同様に、負極バスバー５が各蓄電セル７Ａの保持部材９Ａの突出部９１Ｂと突出部９２Ｂとの間に嵌め込まれる。つまり、負極バスバー５の端面５ｂと突出部９１Ｂの側面９１ｂとが当接し、負極バスバー５の端面５ｃと突出部９２Ｂの側面９２ｂとが当接する。これにより、複数の蓄電セル７Ａの幅方向における位置が揃えられる。
【００６５】
また、各保持部材９の底面及び側面を揃えることで、蓄電セル７Ｂに対しても正極集電板１５及び負極集電板１６の高さ方向及び幅方向における相対的な位置が規定される。つまり、本体部１５ａが、積層方向において隣り合う蓄電セル７Ｂの外側面１２ａに重ね合わせられ、本体部１６ａが、積層方向において隣り合う蓄電セル７Ｂの外側面１２ｂに重ね合わせられる。
【００６６】
続いて、工程Ｓ０４において、カバー部材６が取り付けられる。具体的には、カバー部材６が、正極バスバー４及び負極バスバー５の間において、積層方向に沿ってセルスタック２の頂面に配置される。そして、爪部６ｂが締結部材Ｅによりエンドプレート３の外側面に固定される。これにより、１対のエンドプレート３を介して、積層方向に沿った拘束荷重がセルスタック２に付加される。
【００６７】
続いて、工程Ｓ０５において、正極バスバー４と正極集電板１５（正極タブ１５ｂ）とが、例えばレーザ溶接によって接合される。これにより、正極バスバー４と正極タブ１５ｂとを接合する溶接部Ｗ１が形成される。同様に、負極バスバー５と負極集電板１６（負極タブ１６ｂ）とが、例えばレーザ溶接によって接合される。これによって、負極バスバー５と負極タブ１６ｂとを接合する溶接部Ｗ２が形成される。
【００６８】
上記工程を経ることによって、蓄電装置１が製造される。なお、工程Ｓ０４と工程Ｓ０５との順番が入れ替わってもよい。カバー部材６は必ずしも取り付けられる必要はないので、工程Ｓ０４は省略され得る。
【００６９】
この蓄電装置１の製造方法では、正極集電板１５を蓄電セル７Ａに組み付ける際に、蓄電セル７Ａの突出部９１Ａと突出部９２Ａとの間に正極タブ１５ｂを配置することにより、正極集電板１５（正極タブ１５ｂ）の高さ方向及び幅方向における位置が規定される。同様に、負極集電板１６を蓄電セル７Ａに組み付ける際に、蓄電セル７Ａの突出部９１Ｂと突出部９２Ｂとの間に負極タブ１６ｂを配置することにより、負極集電板１６（負極タブ１６ｂ）の高さ方向及び幅方向における位置が規定される。そして、蓄電セル７Ａ及び蓄電セル７Ｂを積層方向に沿って交互に配置した後、各保持部材９の高さ方向及び幅方向を揃えることで、幅方向における複数の正極集電板１５（正極タブ１５ｂ）及び複数の負極集電板１６の（負極タブ１６ｂ）の位置が揃えられる。この状態で、正極バスバー４が複数の正極集電板１５のそれぞれと接合され、負極バスバー５が複数の負極集電板１６のそれぞれと接合されるので、幅方向において、正極バスバー４に対する各正極集電板１５の位置ずれを低減することができ、負極バスバー５に対する各負極集電板１６の蓄電セル７の位置ずれを低減することができる。その結果、蓄電装置１の組立性が向上する。
【００７０】
以上、本発明の実施形態について説明したが、本発明は上記実施形態に限定されない。
【００７１】
例えば、上記実施形態では、１つの蓄電装置１は、正極バスバー４及び負極バスバー５を１つずつ備えているが、特にその形態には限られない。１つの蓄電装置１は、複数の正極バスバー４及び複数の負極バスバー５を備えてもよい。
【００７２】
上記実施形態では、正極バスバー４及び負極バスバー５は、セルスタック２に対して高さ方向の同じ側において幅方向に並んで配置されているが、特にその形態には限られない。正極バスバー４は、セルスタック２に対して高さ方向の一方側に配置され、負極バスバー５は、セルスタック２に対して高さ方向の他方側に配置されていてもよい。
【００７３】
上記実施形態では、正極バスバー４と正極集電板１５との接合は、溶接により行われているが、他の手法により行われてもよい。負極バスバー５と負極集電板１６との接合も同様である。
【００７４】
カバー部材６は、絶縁材料によって形成されてもよい。カバー部材６を形成する絶縁材料としては、例えばポリイミド、ＰＰ、ＰＰＳ、又はＰＡ６６等が挙げられる。この場合、正極バスバー４と負極バスバー５とが短絡する可能性を低減することができる。なお、カバー部材６は省略され得る。
【００７５】
保持部材９による幅方向における正極集電板１５及び負極集電板１６の位置規定を実現するための構成は、上記実施形態の構成に限られない。例えば、端面１５ｃが幅方向において側面９１ａと接触し、端面１５ｄが幅方向において側面９２ａから離間していてもよい。この場合でも、蓄電セル７Ａに対する正極タブ１５ｂの幅方向における相対的な位置が突出部９１Ａによって規定され得る。また、端面１５ｃが幅方向において側面９１ａから離間し、端面１５ｄが幅方向において側面９２ａと接触していてもよい。この場合でも、蓄電セル７Ａに対する正極タブ１５ｂの幅方向における相対的な位置が突出部９２Ａによって規定され得る。
【００７６】
同様に、端面１６ｃが幅方向において側面９１ｂと接触し、端面１６ｄが幅方向において側面９２ｂから離間していてもよい。この場合でも、蓄電セル７Ａに対する負極タブ１６ｂの幅方向における相対的な位置が突出部９１Ｂによって規定され得る。また、端面１６ｃが幅方向において側面９１ｂから離間し、端面１６ｄが幅方向において側面９２ｂと接触していてもよい。この場合でも、蓄電セル７Ａに対する負極タブ１６ｂの幅方向における相対的な位置が突出部９２Ｂによって規定され得る。
【００７７】
また、端面１５ｃが幅方向において側面９１ａと接触している場合には、側面９１ａと端面４ｂとが幅方向において接触していればよく、側面９２ａと端面４ｃとは幅方向において離間していてもよい。端面１５ｄが幅方向において側面９２ａと接触している場合には、側面９２ａと端面４ｃとが幅方向において接触していればよく、側面９１ａと端面４ｂとは幅方向において離間していてもよい。同様に、端面１６ｃが幅方向において側面９１ｂと接触している場合には、側面９１ｂと端面５ｂとが幅方向において接触していればよく、側面９２ｂと端面５ｃとは幅方向において離間していてもよい。端面１６ｄが幅方向において側面９２ｂと接触している場合には、側面９２ｂと端面５ｃとが幅方向において接触していればよく、側面９１ｂと端面５ｂとは幅方向において離間していてもよい。
【００７８】
突出部９１Ａ，９２Ａの高さは、正極タブ１５ｂの厚さよりも低くてもよい。突出部９１Ｂ，９２Ｂの高さは、負極タブ１６ｂの厚さよりも低くてもよい。保持部材９Ａは、突出部９１Ａ，９１Ｂ，９２Ａ，９２Ｂの少なくともいずれかを備えていればよい。以下、第１変形例及び第２変形例を説明する。
【００７９】
（第１変形例）
図９は、第１変形例に係る蓄電装置の断面図である。図９に示される蓄電装置１Ａは、保持部材９Ａが突出部９１Ａ，９１Ｂ，９２Ａ，９２Ｂを備える構成に代えて、保持部材９Ａに凹部９３Ａ，９３Ｂが設けられる点において、蓄電装置１と主に相違する。
【００８０】
凹部９３Ａは、保持部材９Ａの頂面９ａに設けられている。凹部９３Ａは、正極バスバー４の下に位置し、正極集電板１５の正極タブ１５ｂと幅方向において互いに嵌り合う形状を有している。凹部９３Ａは、保持部材９Ａを積層方向に貫通する。凹部９３Ａの深さ（高さ方向における長さ）は、正極タブ１５ｂの厚さ（高さ方向における長さ）よりも小さい。
【００８１】
凹部９３Ｂは、保持部材９Ａの頂面９ａに設けられている。凹部９３Ｂは、負極バスバー５の下に位置し、負極集電板１６の負極タブ１６ｂと幅方向において互いに嵌り合う形状を有している。凹部９３Ｂは、保持部材９Ａを積層方向に貫通する。凹部９３Ｂの深さ（高さ方向における長さ）は、負極タブ１６ｂの厚さ（高さ方向における長さ）よりも小さい。
【００８２】
蓄電装置１Ａにおいて、正極タブ１５ｂは幅方向において凹部９３Ａに嵌り合っているので、蓄電セル７Ａに対する正極タブ１５ｂの高さ方向及び幅方向における相対的な位置が凹部９３Ａによって規定される。つまり、凹部９３Ａは、高さ方向及び幅方向において正極タブ１５ｂ（正極集電板１５）の位置を規定する規定部（第１規定部）として機能する。これにより、蓄電セル７Ａに対して正極集電板１５の高さ方向及び幅方向における相対的な位置が規定されるので、蓄電セル７Ａの正極端子として機能する集電体１２に対して、本体部１５ａの位置がずれることが抑制される。
【００８３】
同様に、蓄電装置１Ａにおいて、負極タブ１６ｂは幅方向において凹部９３Ｂに嵌り合っているので、蓄電セル７Ａに対する負極タブ１６ｂの高さ方向及び幅方向における相対的な位置が凹部９３Ｂによって規定される。つまり、凹部９３Ｂは、高さ方向及び幅方向において負極タブ１６ｂ（負極集電板１６）の位置を規定する規定部（第２規定部）として機能する。これにより、蓄電セル７Ａに対して負極集電板１６の高さ方向及び幅方向における相対的な位置が規定されるので、蓄電セル７Ａの負極端子として機能する集電体１２に対して、本体部１６ａの位置がずれることが抑制される。
【００８４】
よって、蓄電装置１Ａにおいても、蓄電装置１と同様の効果が奏される。なお、端面１５ｃ，１５ｄのいずれか一方が幅方向において凹部９３Ａの側面と接触していればよい。この場合でも、蓄電セル７Ａに対する正極タブ１５ｂの幅方向における相対的な位置が凹部９３Ａによって規定され得る。同様に、端面１６ｃ，１６ｄのいずれか一方が幅方向において凹部９３Ｂの側面と接触していればよい。この場合でも、蓄電セル７Ａに対する負極タブ１６ｂの幅方向における相対的な位置が凹部９３Ｂによって規定され得る。
【００８５】
なお、蓄電装置１Ａでは、凹部９３Ａの深さは、正極タブ１５ｂの厚さよりも小さいので、凹部９３Ａによって正極バスバー４の幅方向における位置を規定することはできない。しかしながら、正極集電板１５の幅方向における位置を規定することで、正極集電板１５（正極タブ１５ｂ）と蓄電セル７Ａとが幅方向に一体となって移動する。このため、振動によって幅方向に沿って各蓄電セル７に力が加わったとしても、蓄電セル７Ａと正極集電板１５とが一体化することにより、幅方向に移動し難くなる。これにより、正極バスバー４と正極集電板１５との溶接部Ｗ１に幅方向に沿って加わるせん断応力を低減することができる。同様の理由により、負極バスバー５と負極集電板１６との溶接部Ｗ２に幅方向に沿って加わるせん断応力を低減することができる。その結果、蓄電装置１Ａの耐振動性を向上させることが可能となる。蓄電装置１において、突出部９１Ａ，９２Ａの高さが、正極タブ１５ｂの厚さよりも低く、突出部９１Ｂ，９２Ｂの高さが、負極タブ１６ｂの厚さよりも低くても、同様の効果が得られる。
【００８６】
（第２変形例）
図１０は、第２変形例に係る蓄電装置を部分的に示す平面図である。図１１の（ａ）及び図１１の（ｂ）は、図１０に示された蓄電セルを正極集電板及び負極集電板と共に示す斜視図である。図１０に示される蓄電装置１Ｂは、負極タブ１６ｂの屈曲方向が正極タブ１５ｂの屈曲方向と同じ向きである点、及び保持部材９Ａに代えて保持部材９Ｂが突出部９１Ｂ，９２Ｂを備える点において、蓄電装置１と主に相違する。
【００８７】
保持部材９Ａ上（保持部材９Ａの頂面９ａ）には、正極タブ１５ｂが配置されている。保持部材９Ｂ上（保持部材９Ｂの頂面９ａ）には、負極タブ１６ｂが配置されている。保持部材９Ａは、高さ方向及び幅方向において正極集電板１５の位置ずれを規制する。保持部材９Ｂは、高さ方向及び幅方向において負極集電板１６の位置ずれを規制する。
【００８８】
蓄電装置１Ｂでは、正極タブ１５ｂが保持部材９Ａの頂面９ａと高さ方向において当接し、頂面９ａによって支持されているので、蓄電セル７Ａに対する正極タブ１５ｂの高さ方向における相対的な位置が規定される。また、正極タブ１５ｂの端面１５ｃが突出部９１Ａに当接し、正極タブ１５ｂの端面１５ｄが突出部９２Ａに当接しているので、蓄電セル７Ａに対する正極タブ１５ｂの幅方向における相対的な位置が突出部９１Ａ，９２Ａによって規定される。つまり、突出部９１Ａ，９２Ａ（側面９１ａ，９２ａ）は、幅方向において正極タブ１５ｂ（正極集電板１５）の位置を規定する規定部（第１規定部）として機能する。これにより、蓄電セル７Ａに対して正極集電板１５の高さ方向及び幅方向における相対的な位置が規定されるので、蓄電セル７Ａの外側面１２ａに対して、本体部１５ａの位置がずれることが抑制される。したがって、蓄電セル７Ａと正極集電板１５との間の導電経路において抵抗成分の増加が抑制される。
【００８９】
同様に、蓄電装置１Ｂでは、負極タブ１６ｂが保持部材９Ｂの頂面９ａと高さ方向において当接し、頂面９ａによって支持されているので、蓄電セル７Ｂに対する負極タブ１６ｂの高さ方向における相対的な位置が規定される。また、負極タブ１６ｂの端面１６ｃが突出部９１Ｂに当接し、負極タブ１６ｂの端面１６ｄが突出部９２Ｂに当接しているので、蓄電セル７Ｂに対する負極タブ１６ｂの幅方向における相対的な位置が突出部９１Ｂ，９２Ｂによって規定される。つまり、突出部９１Ｂ，９２Ｂ（側面９１ｂ，９２ｂ）は、幅方向において負極タブ１６ｂ（負極集電板１６）の位置を規定する規定部（第２規定部）として機能する。これにより、蓄電セル７Ｂに対して負極集電板１６の高さ方向及び幅方向における相対的な位置が規定されるので、蓄電セル７Ｂの外側面１２ｂに対して、本体部１６ａの位置がずれることが抑制される。したがって、蓄電セル７Ｂと負極集電板１６との間の導電経路において抵抗成分の増加が抑制される。
【００９０】
さらに、蓄電装置１Ｂでは、各保持部材９の高さ方向及び幅方向が揃えられているので、本体部１５ａを挟んで互いに隣り合う蓄電セル７Ａ，７Ｂの外側面１２ａに対して、本体部１５ａの位置がずれることが抑制される。したがって、蓄電セル７Ａ，７Ｂと正極集電板１５との間の導電経路において抵抗成分の増加が抑制される。同様に、本体部１６ａを挟んで互いに隣り合う蓄電セル７Ａ，７Ｂの外側面１２ｂに対して、本体部１６ａの位置がずれることが抑制される。したがって、蓄電セル７Ａ，７Ｂと負極集電板１６との間の導電経路において抵抗成分の増加が抑制される。
【００９１】
よって、蓄電装置１Ｂにおいても、蓄電装置１と同様の効果が奏される。
【符号の説明】
【００９２】
１，１Ａ，１Ｂ…蓄電装置、２…セルスタック、４…正極バスバー（第１バスバー）、５…負極バスバー（第２バスバー）、７…蓄電セル、７Ａ…蓄電セル（第１蓄電セル）、７Ｂ…蓄電セル（第２蓄電セル）、９…保持部材、９Ａ…保持部材（第１保持部材）、９Ｂ…保持部材（第２保持部材）、１０…バイポーラ電極（電極）、１２ａ…外側面（第１面）、１２ｂ…外側面（第２面）、１５…正極集電板（第１集電板）、１５ａ…本体部（第１本体部）、１５ｂ…正極タブ（第１タブ）、１５ｃ，１５ｄ…端面、１６…負極集電板（第２集電板）、１６ａ…本体部（第２本体部）、１６ｂ…負極タブ（第２タブ）、１６ｃ，１６ｄ…端面、９１Ａ，９２Ａ…突出部（第１規定部）、９１Ｂ，９２Ｂ…突出部（第２規定部）、９３Ａ…凹部（第１規定部）、９３Ｂ…凹部（第２規定部）。
【図１】
2019186116.tif 000003
【図２】
2019186116.tif 000004
【図３】
2019186116.tif 000005
【図４】
2019186116.tif 000006
【図５】
2019186116.tif 000007
【図６】
2019186116.tif 000008
【図７】
2019186116.tif 000009
【図８】
2019186116.tif 000010
【図９】
2019186116.tif 000011
【図１０】
2019186116.tif 000012
【図１１】
2019186116.tif 000013